(57)【特許請求の範囲】
【請求項１】
マンホールの外壁に明けられた穴に管を固定してなるマンホールと管との継手構造において、管の端部に同軸的に挿通させる円筒部と、円筒部の一端部に軸方向に突出する突出部と、つば状に円筒部の半径方向に取り付けられるとともに粘着剤を貼られた縁部とからなり、前記突出部が、前記円筒部と前記突出部との境部と、前記縁部から前記突出部に連なる箇所とにより形成された、管の変位を吸収する凹部と、中実の厚肉部とを有するマンホール用止水可とう継手を用いて、前記円筒部に粘着剤層を介して保持された前記管とともに、前記突出部をマンホールの外壁に明けられた穴に所定位置まで入れ、前記粘着剤を貼られた縁部を接着剤層を塗布したマンホールの外壁面に貼着し、前記円筒部の前記粘着剤層の部分を外側から締結バンドで締め付け圧着固定することを特徴とするマンホールと管との継手構造。
【請求項２】
前記凹部を有する突出部が、前記円筒部の全周にわたって設けられている請求項１記載のマンホールと管との継手構造。
【請求項３】
前記円筒部が蛇腹部を有する請求項１または２記載のマンホールと管との継手構造。
【請求項４】
マンホールの外壁に明けられた穴に管を固定してなるマンホールと管との継手構造の施工方法において、管の端部に同軸的に挿通させる円筒部と、円筒部の一端部に軸方向に突出する突出部と、つば状に円筒部の半径方向に取り付けられるとともに粘着剤を貼られた縁部とからなり、前記突出部が、前記円筒部と前記突出部との境部と、前記縁部から前記突出部に連なる箇所とにより形成された、管の変位を吸収する凹部と、中実の厚肉部とを有するマンホール用止水可とう継手を用いて、前記円筒部に粘着剤層を介して保持された前記管とともに、前記突出部をマンホールの外壁に明けられた穴に所定位置まで入れ、前記粘着剤を貼られた縁部を接着剤層を塗布したマンホールの外壁面に貼着し、前記円筒部の前記粘着剤層の部分を外側から締結バンドで締め付け圧着固定することを特徴とするマンホールと管との継手構造の施工方法。
【発明の詳細な説明】
【０００１】
【産業上の利用分野】
本発明はゴム製の可とう継手に関し、特にコンクリート製マンホール（以下、マンホールと省略する）と下水道管（以下、管と省略する）との接合部に使用して好適であるマンホール用止水可とう継手およびその施工方法に関するものである。
【０００２】
【従来の技術】
従来、マンホールと管とを接続するために使用するマンホール用止水継手として、本出願人は実公平４−２９１９０号公報において、図４（ａ）、（ｂ）にその一例を示すように、図示しない管の端部に同軸的に挿通させる円筒部２２と、円筒部２２の一端部に２カ所軸方向に突出する突出部２３と、つば状に円筒部２２の半径方向に取り付けられた縁部２４とからなるマンホール用止水継手２１を開示している。
【０００３】
上述した実公平４−２９１９０号公報に開示されたマンホール用止水継手２１は、図５に示すように、マンホール３１の外壁３１ｂに明けられた穴３１ａ内に突出部２３を挿入した状態で、縁部２４とマンホール３１の外壁３１ｂとを接着剤３２で固定するとともに、円筒部２２と管３３とを粘着剤層３４と締結バンド３５とで固定する。その後、突出部２３と穴３１ａとの間にモルタル３６等を設けることにより、管３３をマンホール３１に接続している。これにより、マンホール３１と管３３との接続部における良好な止水効果を得ることができる。
【０００４】
【発明が解決しようとする課題】
しかしながら、上述したマンホール用止水継手２１の突出部２３は中実のゴムであるため、マンホール３１への施工中、管３３がある程度屈曲しても突出部２３はその変位に追従し止水効果に悪影響はないが、管３３がある程度以上の屈曲角で屈曲した場合、図６に示すように、突出部２３はその変位に追従しきれなくなり、つば状の縁部２４の粘着剤が剥がれ、止水効果に悪影響を与える問題があった。特に、山間部等における施工では、管３３の屈曲角が大きくなることが多く、従来のマンホール用止水継手２１をそのまま使用できなかった。
【０００５】
本発明の目的は上述した課題を解消して、管が大きく屈曲してもその変位に追従し良好な止水性を維持することができるマンホール用止水可とう継手およびその施工方法を提供しようとするものである。
【０００６】
【課題を解決するための手段】
本発明のマンホールと管との継手構造は、マンホールの外壁に明けられた穴に管を固定してなるマンホールと管との継手構造において、管の端部に同軸的に挿通させる円筒部と、円筒部の一端部に軸方向に突出する突出部と、つば状に円筒部の半径方向に取り付けられるとともに粘着剤を貼られた縁部とからなり、前記突出部が、前記円筒部と前記突出部との境部と、前記縁部から前記突出部に連なる箇所とにより形成された、管の変位を吸収する凹部と、中実の厚肉部とを有するマンホール用止水可とう継手を用いて、前記円筒部に粘着剤層を介して保持された前記管とともに、前記突出部をマンホールの外壁に明けられた穴に所定位置まで入れ、前記粘着剤を貼られた縁部を接着剤層を塗布したマンホールの外壁面に貼着し、前記円筒部の前記粘着剤層の部分を外側から締結バンドで締め付け圧着固定することを特徴とするものである。
【０００７】
また、本発明のマンホールと管との継手構造の施工方法は、マンホールの外壁に明けられた穴に管を固定してなるマンホールと管との継手構造の施工方法において、管の端部に同軸的に挿通させる円筒部と、円筒部の一端部に軸方向に突出する突出部と、つば状に円筒部の半径方向に取り付けられるとともに粘着剤を貼られた縁部とからなり、前記突出部が、前記円筒部と前記突出部との境部と、前記縁部から前記突出部に連なる箇所とにより形成された、管の変位を吸収する凹部と、中実の厚肉部とを有するマンホール用止水可とう継手を用いて、前記円筒部に粘着剤層を介して保持された前記管とともに、前記突出部をマンホールの外壁に明けられた穴に所定位置まで入れ、前記粘着剤を貼られた縁部を接着剤層を塗布したマンホールの外壁面に貼着し、前記円筒部の前記粘着剤層の部分を外側から締結バンドで締め付け圧着固定することを特徴とするものである。
【０００８】
【作用】
上述した構成において、突出部に設けた凹部が、施工後従来の止水継手では追従できない程度管が大きく屈曲してもその変位を吸収し、縁部がマンホール外壁から剥がれることはなく、良好な止水性能を維持することができる。また、凹部を有する突出部を円筒部の全周にわたって設けた場合、および円筒部に蛇腹部を設けるた場合は、マンホール用止水可とう継手の止水性能をさらに向上させることができ、好ましい態様となる。
【０００９】
また、本発明の施工方法では、上述した構成のマンホール用止水可とう継手を使用し、管と円筒部との間およびマンホールと縁部との間を粘着材で固定して水密構造を構成しているため、モルタルを全く使用せず施工することができる。そのため、型枠組作業等の熟練を要する作業を必要とせず、またモルタルやコンクリートの硬化まで埋め戻しを待つ必要がなく、約２０分程度の短時間で施工が可能となるとともに、施工後引き続き埋め戻し作業をすることが可能となる。さらに、その後突出部とマンホールとの間をモルタルで埋める際に、上記構成のマンホール用止水可とう継手が管の屈曲による変位を十分に吸収するため、そのままモルタルによる固定を行うことができる。
【００１０】
【実施例】
図１（ａ）、（ｂ）は本発明のマンホール用止水可とう継手の一例の構成を示す図である。図１（ａ）、（ｂ）に示す例において、マンホール用止水可とう継手１は、図示しない管の端部を保持する円筒部２と、この円筒部２の一端部に軸方向に突出する突出部３と、つば状に円筒部２の半径方向に取り付けられた縁部４とから構成されている。本発明で重要なのは、突出部３の円筒部２と縁部４との境に、円筒部２側に向かって開口する凹部６を設けた点である。なお、本例では、突出部３を円筒部２の全周にわたって設けている。従って、本例では、円筒部２と縁部４とは直接接触せず、突出部３を介して接続されている。また、突出部３には、その上端および下端に２つの突起部３ａ、３ｂを設け、さらにこの突起部３ａ、３ｂには凹部６は存在していない。
【００１１】
また、図１（ａ）、（ｂ）において、５は縁部４の施工時にマンホールと面する面に設けた粘着材、７は円筒部３の端部内面に設けられた粘着剤層、８は円筒部３の端部外面に設けられた締結バンドである。これらの粘着材５、粘着剤層７、締結バンド８を使用して行われる本発明のマンホール用止水可とう継手の施工方法について、図２を参照して説明する。まず、円筒部２に粘着剤層７を介して保持された管１０とともに、突出部３を、マンホール９の外壁に明けられた穴９ａに所定位置まで挿入する。そして、縁部４の接着剤５とマンホール９の外壁に塗布した接着剤１１とを貼着する。その後、管１０の穴９ａ内の位置を調整し、円筒部２の粘着剤層７の部分を外側から締結バンド８で締め付け圧着固定することで、本発明のマンホール用止水可とう継手１の施工を終了する。なお、本例では、円筒部２に蛇腹部１２を設けている。
【００１２】
そのため、上述した施工時に図３に示すように管１０が屈曲しても、管１０の屈曲による変位を、突出部３の凹部６により吸収することができる。すなわち、屈曲した方向の凹部６が縮みその反対側の凹部６が伸びることで、屈曲による変位を吸収している。なお、上述した施工後は、必要に応じて、従来と同様に一旦土砂等を埋め戻した後例えば１月後、突出部３と穴９ａとの間をモルタル等で固定することはいうまでもない。
【００１３】
本発明のマンホール用止水可とう継手１の円筒部２、突出部３、縁部４を構成する材料は、可とう性があれば特に限定するものではないが、日光の当たらない土中で使用されることが多いため、耐バクテリア性を付与した天然ゴムの使用が好ましい。また、粘着材５、粘着剤層７、接着剤１１の材質も特に限定するものでないが、粘着性および耐久性の良いブチルゴム系の使用が好ましい。
【００１４】
【発明の効果】
以上の説明から明らかなように、本発明マンホール用止水可とう継手によれば、突出部に凹部を設けたことにより、施工後従来の止水継手では追従できない程度管が大きく屈曲してもその変位を凹部が吸収し、縁部がマンホール外壁から剥がれることはなく、良好な止水性能を維持することができる。また、凹部を有する突出部を円筒部の全周にわたって設けた場合、および円筒部に蛇腹部を設けるた場合は、マンホール用止水可とう継手の止水性能をさらに向上させることができるため好ましい。
【００１５】
また、本発明の施工方法によれば、上述した構成のマンホール用止水可とう継手を使用し、管と円筒部との間およびマンホールと縁部との間を粘着材で固定して水密構造を構成しているため、モルタルを全く使用せず施工することができる。そのため、型枠組作業等の熟練を要する作業を必要とせず、またモルタルやコンクリートの硬化まで埋め戻しを待つ必要がなく、約２０分程度の短時間で施工が可能となるとともに、施工後引き続き埋め戻し作業をすることが可能となる。
【図面の簡単な説明】
【図１】本発明のマンホール用止水可とう継手の一例の構成を示す図である。
【図２】本発明のマンホール用止水可とう継手の施工方法の一例を説明するための図である。
【図３】本発明のマンホール用止水可とう継手の施工方法の他の例を説明するための図である。
【図４】従来のマンホール用止水継手の一例の構成を示す図である。
【図５】従来のマンホール用止水継手の施工方法の一例を説明するための図である。
【図６】従来のマンホール用止水継手の問題を説明するための図である。
【符号の説明】
１  マンホール用止水可とう継手
２  円筒部
３  突出部
3a，3b  突起部
４  縁部
５  粘着材
６  凹部
７  接着剤層
８  締結バンド
９  マンホール
9a  穴
10  管
11  接着剤
【図１】
0003786979.tif 000002
【図２】
0003786979.tif 000003
【図３】
0003786979.tif 000004
【図４】
0003786979.tif 000005
【図５】
0003786979.tif 000006
【図６】
0003786979.tif 000007